(57)【要約】【課題】公園などの避難場所において携帯電話機を充電し得る携帯電話機の電源装置を提供することにある。【解決手段】避難場所に設けた商用交流電源コンセントに差し込まれる電源プラグ２１と、その商用交流電源を所定の直流電圧に変換するＡＣ／ＤＣ回路２６と、外部の発電設備などから供給される直流電源と接続するコネクタ２２を有し、上記ＡＣ／ＤＣ回路２６又はコネクタ２２より供給される直流電圧を携帯電話機に必要な所定の直流電圧に変換するＤＣ／ＤＣ回路２７と、その同一又は異なる電圧の出力を外部に取り出す複数の外部接続線２３と、それら複数の外部接続線の各々の先端部に設けられ、携帯電話機の信号電源兼用コネクタに差し込まれる雄型コネクタ２４とを具備する構成とする。【選択図】        図１
2004364347.tif 000002
【特許請求の範囲】
【請求項１】
避難場所に設けられる携帯電話機の電源装置であって、
避難場所に設けた商用交流電源のコンセントに差し込まれる電源プラグと、
上記電源プラグより供給される商用交流電源を所定の直流電圧に変換するＡＣ／ＤＣ回路及びこの直流電圧を携帯電話機に必要な所定の直流電圧に変換するＤＣ／ＤＣ回路を含む電源変換装置と、
上記電源変換装置のＤＣ／ＤＣ回路の同一又は異なる電圧の出力を外部に取り出す複数の外部接続線と、
それら複数の外部接続線の各々の先端部に設けられ、携帯電話機の信号電源兼用コネクタに差し込まれる雄型コネクタと、
を具備することを特徴とする携帯電話機の電源装置。
【請求項２】
請求項１記載の携帯電話機の電源装置において、
外部の発電設備などから供給される直流電源と接続するコネクタを有し、
上記電源変換装置が、上記ＤＣ／ＤＣ回路の入力を、上記ＡＣ／ＤＣ回路の出力側と上記直流電源の系統側との間で切り換える切換手段を設けた、
ことを特徴とする携帯電話機の電源装置。
【請求項３】
避難場所に設けられる携帯電話機の電源装置であって、
避難場所に設けた発電設備などから供給される直流電源と接続されるコネクタと、
上記コネクタより供給される直流電圧を携帯電話機に必要な所定の直流電圧に変換するＤＣ／ＤＣ回路を含む電源変換装置と、
上記電源変換装置のＤＣ／ＤＣ回路の同一又は異なる電圧の出力を外部に取り出す複数の外部接続線と、
それら複数の外部接続線の各々の先端部に設けられ、携帯電話機の信号電源兼用コネクタに差し込まれる雄型コネクタと、
を具備することを特徴とする携帯電話機の電源装置。
【請求項４】
請求項１ないし３のいずれかに記載の携帯電話機の電源装置において、
上記雄型コネクタの形状寸法が互いに異なることを特徴とする携帯電話機の電源装置。
【発明の詳細な説明】
【０００１】
【発明の属する技術分野】
この発明は、携帯電話機の充電装置、特に災害時の避難場所に設置される充電装置に関するものである。
【０００２】
【従来の技術】
従来、携帯電話機の充電器として、いわゆるＡＣアダプタが用いられている。この携帯電話機に用いられるＡＣアダプタは、商用交流電源の電源コンセントに差し込むと共に、ＡＣアダプタから導出された出力ケーブルの先端部に設けられたコネクタを携帯電話機の信号電源兼用コネクタ（いわゆるインターフェース用コネクタ）に接続して使用する。これにより、携帯電話機が使用可能となると共に、携帯電話機に内蔵された二次電池を充電することができる。
【０００３】
しかし、上記従来構成の場合、商用交流電源の電源コンセントが無い場所では、ユーザーがＡＣアダプタを所持していても、ＡＣアダプタを使用することができず、内蔵二次電池の電力を使い切ると、それ以降は、携帯電気機器を使用できないという問題があった。
【０００４】
そこで、従来、ＡＣアダプタ内に二次電池を内蔵せしめることにより、商用交流電源の電源コンセントが無い場所においても利用できるようにすることが提案されている（例えば、特許文献１参照）。
【０００５】
【特許文献１】
特開２００２−７５５６３号公報（特許請求の範囲、段落番号０００９，００１０、図１）
【０００６】
【発明が解決しようとする課題】
しかしながら、地震等の災害が発生して避難した場合には、上記のようなをＡＣアダプタを所持して避難する余裕がなく、携帯電話機のみしか所持していないことがある。また避難している期間が長くなると、内蔵二次電池の電力も消耗しきってしまい、再度の充電が必要となる。
【０００７】
上記のような場合を含め、災害時には避難場所で携帯電話機を充電する必要が生じるが、これまでの公園などの避難場所には、携帯電話機の充電設備が無いのが現状である。避難場所が、地震や津波から避難した公園や高台などの野外の場合には、近くに商用交流電源コンセントすらないのが現状であり、携帯電話機の内蔵する二次電池を充電することはほとんど不可能であった。
【０００８】
そこで、この発明の目的は、上記課題を解決し、公園などの避難場所において、携帯電話機を充電し得る携帯電話機の電源装置を提供することにある。
【０００９】
ここで、携帯電話機の使用電圧や信号電源兼用コネクタ（インターフェース用コネクタ）の形式は各社ごとに規格が異なることから、避難場所に設置される携帯電話機充電用の電源装置としては、全ての携帯電話機に適合し得る構造の電源装置であることが望まれる。
【００１０】
【課題を解決するための手段】
上記目的を達成するため、この発明は、次のように構成したものである。
【００１１】
請求項１記載の発明は、避難場所に設けられる携帯電話機の電源装置であって、避難場所に設けた商用交流電源のコンセントに差し込まれる電源プラグと、上記電源プラグより供給される商用交流電源を所定の直流電圧に変換するＡＣ／ＤＣ回路及びこの直流電圧を携帯電話機に必要な所定の直流電圧に変換するＤＣ／ＤＣ回路を含む電源変換装置と、上記電源変換装置のＤＣ／ＤＣ回路の同一又は異なる電圧の出力を外部に取り出す複数の外部接続線と、それら複数の外部接続線の各々の先端部に設けられ、携帯電話機の信号電源兼用コネクタに差し込まれる雄型コネクタとを具備するものである。
【００１２】
請求項２記載の発明は、請求項１記載の携帯電話機の電源装置において、外部の発電設備などから供給される直流電源と接続するコネクタを有し、上記電源変換装置が、上記ＤＣ／ＤＣ回路の入力を、上記ＡＣ／ＤＣ回路の出力側と上記直流電源の系統側との間で切り換える切換手段を設けたものである。
【００１３】
請求項３記載の発明は、避難場所に設けられる携帯電話機の電源装置であって、避難場所に設けた発電設備などから供給される直流電源と接続されるコネクタと、上記コネクタより供給される直流電圧を携帯電話機に必要な所定の直流電圧に変換するＤＣ／ＤＣ回路を含む電源変換装置と、上記電源変換装置のＤＣ／ＤＣ回路の同一又は異なる電圧の出力を外部に取り出す複数の外部接続線と、それら複数の外部接続線の各々の先端部に設けられ、携帯電話機の信号電源兼用コネクタに差し込まれる雄型コネクタとを具備するものである。
【００１４】
請求項４記載の発明は、請求項１ないし３のいずれかに記載の携帯電話機の電源装置において、上記雄型コネクタの形状寸法が互いに異なることを特徴とするものである。
【００１５】
＜作用＞
この発明の携帯電話機の電源装置の電源系統には二系統がある。
【００１６】
一つは、避難場所に設けた商用交流電源のコンセントに差し込まれる電源プラグより供給される商用交流電源を受け、ＡＣ／ＤＣ回路にて直流電圧に変換し、この直流電圧をＤＣ／ＤＣ回路にて携帯電話機に必要な所定の直流電圧に変換し、その同一又は異なる電圧の出力を複数の外部接続線にて引き出し、それらの先端部に設けられた雄型コネクタを携帯電話機の信号電源兼用コネクタに差し込んで、携帯電話機の二次電池を充電するものである。
【００１７】
この形態では、例えば、電源変換装置用のケーシングを、電柱などの被取付手段に、例えば取付金具やバンド等の適当な取付手段により取り付けておき、災害時にケーシング内に予め設けてある商用交流電源のコンセントに電源プラグを差し込んで使用する。
【００１８】
他の一つは、外部の発電設備例えば避難場所に設けた発電設備などから供給される直流電源をコネクタを介して受け、その供給される直流電圧をＤＣ／ＤＣ回路にて携帯電話機に必要な所定の直流電圧に変換し、その同一又は異なる電圧の出力を複数の外部接続線にて取り出し、それらの先端部に設けた雄型コネクタを携帯電話機の信号電源兼用コネクタに差し込んで、携帯電話機の二次電池を充電するものである。
【００１９】
この形態では、例えば、風力発電機やソーラーパネル（太陽電池パネル）を具備するタワーが公園などの避難場所に設けてある場合、そのタワー（被取付手段）に取付金具等の適当な取付手段により電源変換装置用のケーシングを取り付けておく。そして、そのタワーの風力発電機や太陽電池パネルからの直流電力をコネクタを介して受けて使用する。
【００２０】
この発明において、外部の発電設備として、その他に例えば、自動車のバッテリや災害に備えて公園などの保管庫に保管されている発電機なども利用することができる。
【００２１】
そして、この発明では、この二系統のいずれかを単独で備えた装置、又は両者を選択的に用い得る装置として構成する。両系統を備えた形態では、電源変換装置に切換手段を設け、これを切り換え操作することにより、上記ＤＣ／ＤＣ回路の入力を、上記ＡＣ／ＤＣ回路の出力側か又は上記直流電源の系統側かに切り換える。
【００２２】
この発明によれば、避難場所にて、携帯電話機の電源が確保されるため、携帯電話機を充電することができる。また、上記雄型コネクタとして、各社の独自の形状寸法に合致させたものを必要種類だけ備えておくことにより、携帯電話機の機種が相違しても、それらの内蔵二次電池を充電することができる。
【００２３】
【発明の実施の形態】
以下、この発明を図示の実施形態に基づいて説明する。
【００２４】
図１に、避難場所に設けられる携帯電話機の電源装置の概要を示す。
【００２５】
この電源装置は、避難場所に設けた商用交流電源ＡＣ１００Ｖのコンセント３１に差し込まれる電源プラグ２１と、避難場所に設けた発電設備、例えば後述する風力発電機３６やソーラーパネル５などから供給されるＤＣ１２Ｖの直流電源に接続されるコネクタ２２と、上記電源プラグ２１より供給される商用交流電圧（ＡＣ１００Ｖ）又は上記コネクタ２２より供給される直流電圧（ＤＣ１２Ｖ）を受けて、所定の同一又は異なる電圧の直流電圧（携帯電話機を動作させたり、携帯電話機に内蔵された二次電池を充電するために必要な電圧）を出力する機能を有する電源変換装置２０と、その同一又は異なる電圧の出力を外部に取り出す複数の外部接続線２３と、それら複数の外部接続線の各々の先端部に設けられ、携帯電話機の信号電源兼用コネクタに差し込まれる雄型コネクタ２４とを具備する。なお、災害に備えて公園などの保管庫に保管されている発電機をＡＣ１００Ｖを得る手段として利用することができる。
【００２６】
図中、符号２５は、上記商用交流電源ＡＣ１００Ｖと直流電源ＤＣ１２Ｖの二系統のいずれかを選択的に用いるため、両系統を切り換える切換スイッチ（切換手段）である。
【００２７】
また、図中、符号３０は、上記電源装置が取り付けられる被取付手段を模式的に示したものである。この被取付手段３０は、具体的には、図２（ａ）に示すような電柱３２や、図２（ｂ）に示すような発電タワー３５であり、適当な取付手段により取り付けられる。図２（ａ）の場合、上記電源装置はケーシング３３内に設けられ、このケーシング３３をバンド３４により電柱３２に締結することで取り付けている。ケーシング３３は鍵により開閉可能であり、その内部に予め設けられ、かつ当該電柱の電線から給電されている商用交流電源のコンセント３１に電源プラグを差し込んで使用する。
【００２８】
図２（ｂ）の場合、発電タワー３５は、ポール１２の上部に風力発電機３６とソーラーパネル（太陽電池パネル）５を具備し、下部に制御ボックス３を有している。この制御ボックス３内の電気制御部１５に上記電源変換装置２０を装置する。すなわち、制御ボックス３が上記ケーシング３３として機能している。そして、タワーの風力発電機３６やソーラーパネル５からの直流電力をコネクタを介して受けて使用する。
【００２９】
図３に、上記電源変換装置２０の詳細を示す。説明の便宜上、電源変換装置２０から引き出されている外部接続線２３の本数及びこれに接続されている雄型コネクタ２４の数は、雄型コネクタ２４ａ，２４ｂ，２４ｃ，２４ｄの４つであるものとする。これらの雄型コネクタ２４ａ〜２４ｄは、携帯電話機がいずれの通信会社に属するかにより形状寸法が異なり、また同じ通信会社に属する携帯電話機であってもその製造メーカにより使用する二次電池の電圧が異なる。この形状寸法と電池電圧の相違に対応できるようにするため、雄型コネクタ２４ａ，２４ｂ，２４ｃ，２４ｄの４種が備えられている。したがって、この実施形態の場合、雄型コネクタ２４ａ〜２４ｄの形状寸法は互いに異なっている。
【００３０】
図示するように、電源変換装置２０は、電源プラグ２１より供給される商用交流電源ＡＣ１００Ｖを所定の直流電圧ＤＣ１２Ｖに変換するＡＣ／ＤＣ回路２６と、この直流電圧ＤＣ１２Ｖを上記雄型コネクタ２４の相手先携帯電話機の種類に対応した数の、当該携帯電話機に必要な所定の直流電圧、例えば５Ｖ系（５．６Ｖ、５．８Ｖ等）、３Ｖ系（３．７Ｖ等）の電圧に変換する４つのＤＣ／ＤＣ回路２７（２７ａ，２７ｂ，２７ｃ，２７ｄ）を有している。
【００３１】
ＡＣ／ＤＣ回路２６は、周知構成のＡＣアダプタと同等な構成であり、例えばスイッチングレギュレータ回路を内蔵して商用交流電源（１００Ｖ）を所定の直流電圧（ここではコネクタ２２の直流電源系統からの入力電圧と同じＤＣ１２Ｖ）を出力するＡＣ／ＤＣスイッチング電源回路から成る。また、ＤＣ／ＤＣ回路２７ａ，２７ｂ，２７ｃ，２７ｄは、それぞれＡＣ／ＤＣ回路２６からの出力電圧ＤＣ１２Ｖを受けて、上記５Ｖ系、３Ｖ系等の直流電圧に安定して出力するＤＣ／ＤＣスイッチング電源回路から成る。
【００３２】
この図３では独立した４つのＤＣ／ＤＣ回路２７ａ〜２７ｄとして示しているが、必ずしも独立している必要はない。また、相手先携帯電話機の種類が異なっても使用電圧が同じである場合には、それらを共通のＤＣ／ＤＣ回路に所属させ、そのＤＣ／ＤＣ回路から必要本数の雄型コネクタを引き出してもよい。また同様に、このような共通のＤＣ／ＤＣ回路と独立したＤＣ／ＤＣ回路の混合として構成することもできる。更にまた、相手先携帯電話機の種類が異なっていて使用電圧が異なる場合でも、問題がなければ、雄型コネクタの種類のみを変更し、それらの種類の異なる雄型コネクタのＤＣ／ＤＣ回路については、共通のＤＣ／ＤＣ回路に所属させた回路構成としてもよい。
【００３３】
また上記電源変換装置２０は、上記ＤＣ／ＤＣ回路２７ａ〜２７ｄの入力を、上記ＡＣ／ＤＣ回路２６の出力側と、上記コネクタ２２からの直流電源ＤＣ１２Ｖの系統側との間で切り換える切換手段として切換スイッチ２５を有している。この切換スイッチ２５は、避難場所において、上記ＡＣ１００Ｖが確保できる場合には、ＡＣ／ＤＣ回路２６の出力側に切り換える。
【００３４】
また、上記ＡＣ１００Ｖが確保できない場合には、コネクタ２２からの直流電源ＤＣ１２Ｖの系統側に切り換える。これにより図２（ｂ）に示した、風力発電機３６やソーラーパネル５などから、直流電圧を得て、上記ＤＣ／ＤＣ回路２７ａ〜２７ｄで所定の直流電圧に変換した後、雄型コネクタ２４ａ，２４ｂ，２４ｃ，２４ｄの各携帯電話機に給電する。また、別途設けた外部の発電設備例えば公園などの保管庫に備えられている発電機をＡＣ１００Ｖを得る手段として利用することができる。
【００３５】
なお、上記実施形態では、電源プラグ２１とＤＣ１２Ｖの直流電源に接続されるコネクタ２２を具備する場合について説明したが、図６及び図７に示すように、更にＤＣ２４Ｖの直流電源例えば自動車（トラック）のバッテリに接続されるコネクタ２２Ａを具備させて、切換スイッチ２５ＡをＡＣ１００Ｖ，ＤＣ２４Ｖ又はＤＣ１２Ｖの３段階に切換可能にしてもよい。
【００３６】
なお、コネクタ２２，２２Ａと外部の発電設備側のコネクタとの接続を確実にするために、コネクタ２２，２２Ａに接続する接続コードの先端に、相手端子に接続可能な鰐口クリップＣなどを取り付けたものを用意しておく方がよい。また、図７ではコネクタ２２ＡにＤＣ／ＤＣ回路２７Ａを設けているが、ＤＣ／ＤＣ回路２７の入力電圧範囲が例えば１２Ｖ〜３０Ｖのように広い範囲であればＤＣ／ＤＣ回路２７Ａは不要である。
【００３７】
なお、図６及び図７において、その他の部分は図１及び図３と同じであるので、同一部分には同一符号を付して説明は省略する。
【００３８】
次に、風力・太陽光等の自然エネルギを利用する発電タワーの実施形態について詳述する。
【００３９】
この発電タワー３５は、図４及び図５に示すように、風力Ｗ又は太陽光Ｓあるいは風力Ｗ及び太陽光Ｓの双方を利用する自然エネルギ収集手段４、５と、この自然エネルギ収集手段４、５により発電された電気エネルギを蓄電する蓄電池１１とを具備する自然エネルギ供給手段１と、自然エネルギ供給手段１の電気制御部１５を収容する制御ボックス３とで主に構成されている。
【００４０】
発電タワー３５の下部にはベンチ７、８が背中合わせに設けられており、制御ボックス３は、そのベンチ８の座席部８３下部の収納空間８ａ内に収納されている。
【００４１】
上記自然エネルギ供給手段１は、図４及び図５に示すように、図示しないアンカーやコンクリート等によって地面に立設される中空状のポール１２と、このポール１２の上端部に装着されて風力Ｗにより自然エネルギを収集する第１の自然エネルギ収集手段である風車４と、この風車４の下部位置のポール１２内部に装着され、風車４の回転軸４２に連結されて風車４の回転運動を電気エネルギに変換する発電機１３と、ポール１２の上部付近に装着されて、太陽光Ｓにより自然エネルギを収集する第２の自然エネルギ収集手段であるソーラーパネル５とによって形成されている。
【００４２】
上記ポール１２の下部には、図４及び図５に示すように、ベンチ７と、制御ボックス３を収納する制御ボックス収納ベンチ８とが背面を対峙した状態に設置されている。また、ポール１２の上部側面には、ポール１２の下部周辺を照らす高効率コンパクト蛍光灯又は高圧ナトリウム灯等の照明器具６が装着されている。
【００４３】
上記風車４は、図５に示すように、ポール１２の上端部に上下対向に設置された支持板部材４０と、この支持板部材４０間に回転自在に配設される円筒状羽根車４４と、支持板部材４０間に両端部が固定され、円筒状羽根車４４の外側に延在するように配列された複数枚（例えば５枚）の空気案内羽根４５とで主に構成されている。
【００４４】
この場合、円筒状羽根車４４は、互いに間隔をおいて環状に配列される複数の断面略円弧状の羽根４１と、これら羽根４１の両端部すなわち上下端部に対向して取り付けられる羽根支持部材４３と、これら羽根支持部材４３の中心部に貫通状に取り付けられて、上記支持部材４０と回転自在に枢着される回転軸４２とで構成されている。なお、上記羽根支持部材４３に形成される回転軸４２は、上部側が支持板部材４０に回転自在に枢着されており、下部側は支持板部材４０に枢着されると共に、ポール１２の内部に装着された発電機１３に連結されている。
【００４５】
また、上下の支持板部材４０は、空気案内羽根４５の端部設置部分より外側を取り除いた平面視略星形の形状に形成されており、支持板部材４０の中心が円筒状羽根車４４の回転中心になるように形成（設計）され、空気案内羽根４５の端部設置部分より外側を取り除いた除去部分が、上下で対向位置にあるように設置されている。
【００４６】
上記のように構成される風車４は、図５（ｂ）に示すように、風力Ｗ（空気流）が、空気案内羽根４５によって風車４の内方に取り込まれ、円筒状羽根車４４へ案内されて羽根４１間を通り、円筒状羽根車４４の内部を通過して再び円筒状羽根車４４が受ける風力Ｗによって、円筒状羽根車４４が周方向に回転する。このように円筒状羽根車４４が回転することで、円筒状羽根車４４の回転が回転軸４２を伝わり、発電機１３によって風力Ｗを電気エネルギに変換することができる。したがって、昼夜に関係なく電気エネルギを蓄電することができる。
【００４７】
なお、この場合、上記風車４は、円筒状羽根車４４の外周位置に空気案内羽根４５を形成することで受風面積が増えるので、風車４内への流入風量を増大することができる。また、空気案内羽根４５の設置角度を制御することで、風力Ｗの収集効率の向上を図ることができる。したがって、わずかな風力Ｗでも発電が可能になる。
【００４８】
上記ソーラーパネル５は、図４及び図５に示すように、ポール１２の上部付近から地面に対して水平に突出される取付片１４に図示しない固定手段によって取り付けられており、その取付方向は、太陽光Ｓから最大の発電量を得るために、太陽の軌道方向に向かって固定する必要があるので、水平位置から南向き（南半球では北向き）に、その地点の緯度分だけ傾けて設置されている。
【００４９】
このように設置されたソーラーパネル５によって、昼間の晴天時又は曇り時において、太陽光Ｓを集光（集熱）して電気エネルギに変換することができる。
【００５０】
上記において、風力Ｗ及び太陽光Ｓを収集することによって発電された電気エネルギは、ポール１２の中空部１２ａ内に配線されたコード１４を介して、ポール１２の下端部に配置された制御ボックス収納ベンチ８内の蓄電池１１に蓄電される。なお、蓄電池１１をポール１２の中空部１２ａ内に収容してもよい。
【００５１】
上記の他、ベンチ８の収納空間８ａ内の制御ボックス３内には、蓄電池の過充電及び過放電防止機能、風車回転数順応型最適負荷制御機能、照明灯の自動点灯・消灯機能を有するコントローラを備えた電気制御部１５が配置され、この電気制御部１５に、上述の携帯電話機用の電源装置が装置されている。すなわち、制御ボックス３が上記ケーシング３３として機能している。この実施形態の場合、携帯電話機用電源装置の電源変換装置２０は、制御ボックス３内に電気制御部１５の一部として存在する制御盤に取り付けられており、その電源変換装置２０から接続線にて引き出されているコネクタ２２が、当該制御盤上に取り付けられた上記蓄電池１１からの給電線の雌コネクタと接続されている。この実施形態で用いられる携帯電話機用電源装置は電源プラグ２１、ＡＣ／ＤＣ回路２６及び切換スイッチ２５を具備しない装置を前提としているが、図３のように入力が直流電源系統のみ成らず交流電源系統をも有する装置の場合には、切換スイッチ２５を直流電源系統側のコネクタ２２側に切り換えておき、電源プラグ２１は遊ばせておく。
【００５２】
また、携帯電話機用電源装置が盗難されたり壊されたりしないようにするため、収納空間８ａに関し、ベンチ８の座席部８３を取り外し又は開閉可能に構成し、かつ施錠して、その管理を行う。
【００５３】
この管理方式としては、カード、紙幣／硬貨の投入を条件として急速充電が行えるようにする等、災害時のみにこだわらずに一般に開放する形式も含まれる。
【００５４】
なお、制御ボックス３内の蓄電池１１に蓄積された電気エネルギの利用は、災害時の情報伝達のための携帯電話の充電に限られない。したがって、情報収集のためのラジオの電源などの目的に使用するために、電源取り出し用のコンセントを別に設けることも可能である。
【００５５】
【発明の効果】
以上説明したようにこの発明によれば、次のような優れた効果が得られる。
【００５６】
請求項１記載の発明によれば、避難場所に設けた商用交流電源のコンセントに差し込まれる電源プラグより供給される商用交流電源を、ＡＣ／ＤＣ回路にて直流電圧に変換し、この直流電圧をＤＣ／ＤＣ回路にて携帯電話機に必要な所定の直流電圧に変換し、その同一又は異なる電圧の出力を複数の外部接続線にて引き出し、それらの先端部に雄型コネクタを設けてあるので、この電源装置が備えられ且つＡＣ電源が確保されている避難場所においては、雄型コネクタを携帯電話機の信号電源兼用コネクタに差し込んで、携帯電話機の二次電池を充電することができる。
【００５７】
請求項３記載の発明によれば、避難場所に設けた発電設備などから供給される直流電源をコネクタを介して受け、その供給される直流電圧をＤＣ／ＤＣ回路にて携帯電話機に必要な所定の直流電圧に変換し、その同一又は異なる電圧の出力を複数の外部接続線にて取り出し、それらの先端部に雄型コネクタを設けてあるので、商用交流電源が存在しない場所においても、この電源装置が備えられ、かつＤＣ電源が確保されている避難場所においては、この雄型コネクタを携帯電話機の信号電源兼用コネクタに差し込んで、携帯電話機の二次電池を充電することができる。
【００５８】
また請求項２記載の発明によれば、上記商用交流電源と外部の発電設備などの直流電源のいずれか、避難場所で確保し得る方の電源系統に切り換えて電源装置を使用することができる。
【００５９】
請求項４記載の発明によれば、雄型コネクタとして、各社の独自の形状寸法に合致させたものを必要種類だけ備えておくことにより、携帯電話機の機種が相違しても、それらの内蔵二次電池を充電することができる。
【図面の簡単な説明】
【図１】この発明の携帯電話機の電源装置の概略を示した図である。
【図２】この発明の携帯電話機の電源装置の取付形態を示した略図である。
【図３】この発明の携帯電話機の電源装置の回路構成を示した図である。
【図４】この発明の携帯電話機の電源装置を発電タワーに適用した状態を示す概略図である。
【図５】この発明の携帯電話機の電源装置を適用した発電タワーをより詳細に示した図（ａ）、（ａ）のＩ−Ｉ線に沿う拡大断面図（ｂ）である。
【図６】この発明の携帯電話機の電源装置の別の形態を示す概略図である。
【図７】この発明の携帯電話機の電源装置の別の形態の回路構成を示した図である。
【符号の説明】
１  自然エネルギ供給手段
３  制御ボックス
４  風車
５  ソーラーパネル
７、８  ベンチ
８ａ  収納空間
１１  蓄電池
１３  発電機
１４  コード
１５  電気制御部
２０  電源変換装置
２１  電源プラグ
２２，２２Ａ  コネクタ
２３  外部接続線
２４  雄型コネクタ
２４ａ，２４ｂ，２４ｃ，２４ｄ  雄型コネクタ
２５，２５Ａ  切換スイッチ
２６  ＡＣ／ＤＣ回路
２７，２７Ａ，２７ａ，２７ｂ，２７ｃ，２７ｄ  ＤＣ／ＤＣ回路
３０  被取付手段
３１  コンセント（商用交流電源）
３２  電柱
３３  ケーシング
３４  バンド
３５  発電タワー
３６  風力発電機
Ｗ  風力
Ｓ  太陽光
【図１】
2004364347.tif 000003
【図２】
2004364347.tif 000004
【図３】
2004364347.tif 000005
【図４】
2004364347.tif 000006
【図５】
2004364347.tif 000007
【図６】
2004364347.tif 000008
【図７】
2004364347.tif 000009